(57)【要約】【課題】  光源として半導体発光素子を用いるとともに、輝度むらを抑制したランプを提供する。【解決手段】  ランプ１は、基部１０と、基部１０の表面に配置されたＬＥＤ２０と、基部１０の表面でＬＥＤ２０を囲んだ状態で、ＬＥＤ２０の光出射方向に延びる筒状の本体部３１を含むとともに、透光性材料で構成された導光部材３０と、基部１０に取り付けられるとともに、導光部材３０を覆うカバー４０であって、透光性材料で構成されたカバー４０とを備える。本体部３１は、ＬＥＤ２０からの出射光が透過することで、該出射光を、ＬＥＤ２０の光出射方向と交差する方向に拡散させる。【選択図】図４
2018006189.tif 000002
【特許請求の範囲】
【請求項１】
基部と、
前記基部の表面に配置された半導体発光素子と、
前記基部の表面で前記半導体発光素子を囲んだ状態で、該半導体発光素子の光出射方向に延びる筒状の本体部を含むとともに、透光性材料で構成された導光部材と、
前記基部に取り付けられるとともに、前記導光部材を覆うカバーであって、透光性材料で構成されたカバーと
を備え、
前記本体部は、前記半導体発光素子からの出射光が透過することで、該出射光を前記半導体発光素子の光出射方向と交差する方向に拡散させる、ランプ。
【請求項２】
前記本体部は、内周面が前記基部から遠ざかるほど前記本体部の中心軸に近づくよう傾斜している第１部分を有する、請求項１に記載のランプ。
【請求項３】
前記本体部は、前記第１部分よりも前記基部の近くに位置するとともに、内周面が前記基部から遠ざかるほど前記本体部の中心軸に近づくよう傾斜している第２部分を有し、
前記第１部分の内周面と前記本体部の中心軸とのなす角度は、前記第２部分の内周面と前記本体部の中心軸とのなす角度と異なる、請求項２に記載のランプ。
【請求項４】
前記カバーは、前記本体部により拡散された光が透過することで、該拡散された光を該本体部により拡散された方向と異なる方向に拡散させる、請求項１乃至３のいずれか１項に記載のランプ。
【請求項５】
前記本体部の内周面及び外周面の少なくとも一方に、前記本体部の中心軸と交差する方向に延びる凹条及び凸条の少なくとも一方が設けられる、請求項１乃至４のいずれか１項に記載のランプ。
【請求項６】
前記カバーの内周面及び外周面の少なくとも一方に、前記本体部に設けられる凹条及び凸条の少なくとも一方の延びる方向と交差する方向に延びる凹条及び凸条の少なくとも一方が設けられる、請求項５に記載のランプ。
【請求項７】
筒状で且つ、内側に半導体発光素子が配置可能な本体部を含むとともに、透光性材料で構成された導光部材であって、
前記本体部の内周面及び外周面の少なくとも一方に、前記本体部の中心軸と交差する方向に延びる凹条及び凸条の少なくとも一方が設けられる、導光部材。
【発明の詳細な説明】
【技術分野】
【０００１】
本発明は、半導体発光素子を備えるランプであって、特に、車両用のマーカーランプとして用いられるランプ、及びこのランプに用いられる導光部材に関する。
【背景技術】
【０００２】
トラック等の大型車両における車体の側面を照射する目的で、車体の側面にマーカーランプが取り付けられることがある。マーカーランプを点灯させることで、夜間において、運転者からの自車の位置確認を容易にするとともに、他車から自車への衝突の防止も期待できる。
【０００３】
マーカーランプは、一般的なランプと同様に、基部と、基部の表面に配された光源と、基部に取り付けられるとともに光源を覆うカバーとを備える（特許文献１参照）。従来のマーカーランプでは光源として白熱電球等が用いられてきたが、近年、ランプを長寿命化するために、光源としてＬＥＤ（Ｌｉｇｈｔ  Ｅｍｉｔｔｉｎｇ  Ｄｉｏｄｅ）のような半導体発光素子が用いられている。
【先行技術文献】
【特許文献】
【０００４】
【特許文献１】特開２００４−２６５７００号公報
【発明の概要】
【発明が解決しようとする課題】
【０００５】
しかし、半導体発光素子は白熱電球等の光源と比べて出射光の指向性が高いため、基部の表面に半導体発光素子を配置したランプでは、半導体発光素子の光出射方向の輝度が高く、半導体発光素子の光出射方向と交差する方向の輝度が低くなる、即ち、ランプにおいて輝度むらが生じる。
【０００６】
本発明は、斯かる実情に鑑み、光源として半導体発光素子を採用するとともに、ランプの輝度むらを抑制したランプを提供するものである。
【課題を解決するための手段】
【０００７】
本発明にかかるランプは、基部と、前記基部の表面に配置された半導体発光素子と、前記基部の表面で前記半導体発光素子を囲んだ状態で、該半導体発光素子の光出射方向に延びる筒状の本体部を含むとともに、透光性材料で構成された導光部材と、前記基部に取り付けられるとともに、前記導光部材を覆うカバーであって、透光性材料で構成されたカバーとを備え、前記本体部は、前記半導体発光素子からの出射光が透過することで、該出射光を前記半導体発光素子の光出射方向と交差する方向に拡散させることを特徴とする。
【０００８】
上記構成のランプによれば、本体部は、半導体発光素子からの出射光が透過することで、該出射光を半導体発光素子の光出射方向と交差する方向に拡散させるため、出射光の指向性の高い半導体発光素子を用いても、半導体発光素子の光出射方向と該方向に交差する方向との輝度の差が小さくなり、これにより、ランプの輝度むらを抑制できる。
【０００９】
本発明にかかるランプの一態様として、前記本体部は、内周面が前記基部から遠ざかるほど前記本体部の中心軸に近づくよう傾斜している第１部分を有してもよい。
【００１０】
上記構成のランプによれば、第１部分の内周面は、基部から遠ざかるほど本体部の中心軸に近づくように傾斜し、半導体発光素子は本体部の内側に収容されているため、内周面が傾斜していない場合と比べて、第１部分の内周面には半導体発光素子からの出射光がより多く到達する。従って、上記構成のランプによれば、第１部分に半導体発光素子からの出射光がより多く到達し、この到達した光が第１部分に入射して内部で反射等することで、本体部を透過した光が拡散されるため、ランプの輝度むらがより抑えられる。
【００１１】
上記構成のランプでは、さらに、前記本体部が、前記第１部分よりも前記基部の近くに位置するとともに、内周面が前記基部から遠ざかるほど前記本体部の中心軸に近づくよう傾斜している第２部分を有し、前記第１部分の内周面と前記本体部の中心軸とのなす角度は、前記第２部分の内周面と前記本体部の中心軸とのなす角度と異なってもよい。
【００１２】
上記構成のランプによれば、第１部分の内周面の傾斜角と第２部分の内周面の傾斜角とが異なることにより、第１部分と第２部分とで、光の拡散方向が異なるため、半導体発光素子からの出射光がより広い範囲に拡散されやすくなり、ランプの輝度むらが抑えられる。
【００１３】
本発明にかかるランプの一態様として、前記カバーは、前記本体部により拡散された光が透過することで、該拡散された光を該本体部により拡散された方向と異なる方向に拡散させてもよい。
【００１４】
上記構成のランプによれば、カバーが本体部により拡散された光が透過することで、該拡散された光を本体部により拡散された方向と異なる方向に拡散させるため、半導体発光素子からの出射光が、本体部で拡散された上に、さらに、本体部により拡散された方向と異なる方向に拡散されるため、ランプの輝度むらがより抑えられる。      
【００１５】
上記構成のランプでは、さらに、前記本体部の内周面及び外周面の少なくとも一方に、前記本体部の中心軸と交差する方向に延びる凹条及び凸条の少なくとも一方が設けられてもよい。
【００１６】
上記構成のランプによれば、本体部の内周面及び外周面の少なくとも一方において、凹条及び凸条の少なくとも一方が、本体部の中心軸と交差する方向に延びている、即ち、本体部の内周面及び外周面の少なくとも一方に、中心軸に対して傾斜した面が存在する。従って、上記構成のランプによれば、半導体発光素子からの出射光が、本体部に入射した後に、中心軸に対して傾斜した面で反射されるため、半導体発光素子の光出射方向と交差する方向に拡散されやすくなり、ランプの輝度むらが抑えられる。
【００１７】
上記構成のランプでは、さらに、前記カバーの内周面及び外周面の少なくとも一方に、前記本体部に設けられる凹条及び凸条の少なくとも一方の延びる方向と交差する方向に延びる凹条及び凸条の少なくとも一方が設けられてもよい。
【００１８】
上記構成のランプによれば、カバーの凹条及び凸条の少なくとも一方の延びる方向と、本体部の凹条及び凸条の少なくとも一方の延びる方向とが交差しているため、カバーは、本体部により拡散された光を、本体部により拡散された方向と異なる方向に拡散させることができる。これにより、半導体発光素子からの出射光は、本体部で拡散された上に、さらに、本体部により拡散された方向とは異なる方向に拡散されるため、ランプの輝度むらがより抑えられる。
【００１９】
本発明にかかる導光部材は、筒状の本体部であって、内側に半導体発光素子が配置可能な本体部を含むとともに、透光性材料で構成された導光部材であって、前記本体部の内周面及び外周面の少なくとも一方に、前記本体部の中心軸と交差する方向に延びる凹条及び凸条の少なくとも一方が設けられることを特徴とする。
【００２０】
上記構成の導光部材によれば、半導体発光素子の光出射方向が本体部の中心軸に一致するように、本体部の内側に半導体発光素子を配置した場合に、本体部は、半導体発光素子からの出射光が透過することで、該出射光を半導体発光素子の光出射方向と交差する方向に拡散させることができる。このため、例えば、導光部材を出射光の指向性の高い半導体発光素子を備えたランプに用いることで、ランプの輝度むらを抑制できる。
【発明の効果】
【００２１】
本発明のランプによれば、光源として半導体発光素子を採用するとともに、ランプの輝度むらを抑制することができる。
【図面の簡単な説明】
【００２２】
【図１】図１は、本発明の一実施形態に係るランプをカバー側から視た斜視外観図である。
【図２】図２は、本発明の一実施形態に係るランプを基部側から視た斜視外観図である。
【図３】図３は、本発明の一実施形態に係るランプの分解斜視図である。
【図４】図４は、本発明の一実施形態に係るランプの断面図である。
【図５】図５は、本発明の一実施形態に係る導光部材の斜視図である。
【図６】図６は、本発明の一実施形態に係る導光部材の断面図である。
【図７】図７は、本発明の一実施形態に係る導光部材の拡大断面図である。
【図８】図８は、本発明の別の実施形態に係る導光部材の斜視図である。
【図９】図９は、本発明の別の実施形態に係る導光部材の断面図である。
【図１０】図１０は、本発明の別の実施形態に係る導光部材の斜視図である。
【図１１】図１１は、本発明の別の実施形態に係る導光部材の断面図である。
【図１２】図１２は、本発明の別の実施形態に係る導光部材の斜視図である。
【図１３】図１３は、本発明の別の実施形態に係る導光部材の断面図である。
【図１４】図１４は、本発明の別の実施形態に係る導光部材の斜視図である。
【図１５】図１５は、本発明の別の実施形態に係る導光部材の断面図である。
【図１６】図１６は、本発明の別の実施形態に係るカバーの斜視図である。
【図１７】図１７は、本発明の別の実施形態に係るカバーの断面図である。
【発明を実施するための形態】
【００２３】
以下、本発明の一実施形態に係るランプについて、図面を参照して説明する。このランプは、例えば、トラック等の大型車両における車体の側面を照射する目的で、車体の側面に取り付けられるマーカーランプである。
【００２４】
ランプ１は、図１〜図４に示すように、基部１０と、基部１０の表面に配置された少なくとも一つのＬＥＤ（半導体発光素子）２０と、基部１０の表面でＬＥＤ２０を囲んだ状態で、ＬＥＤ２０の光出射方向に延びる筒状の本体部３１を含むとともに、透光性材料で構成された導光部材３０と、基部１０に取り付けられるとともに、導光部材３０を覆うカバー４０であって、透光性材料で構成されたカバー４０とを備える。本実施形態のランプ１は、二つのＬＥＤ２０を備える。
【００２５】
基部１０は、円盤状の部材である。本実施形態の基部１０は、円環状の外周部１１と、外周部１１の内側で外周部１１よりも一段下がった位置に形成された円板状の内側部１２と、内側部１２に載置された矩形板状の基台部１３とを含む。外周部１１には、カバー４０が取り付けられる溝部１１ａが設けられている。内側部１２には、二つの貫通孔１２ａ，１２ａが形成されている。貫通孔１２ａ，１２ａと車体（図示なし）の一部に形成した貫通孔とを重ねた状態で、基部１０と車体とを締結部材１４により挟みこむことにより、ランプ１を車体に取り付けることができる。基台部１３には、四つの貫通孔１３ａ，１３ａ，…が形成されているが、これについては後述する。
【００２６】
二つのＬＥＤ２０は、平面状の発光面を基部１０と反対側に向けた状態で、基部１０における基台部１３の表面に配置されている。ＬＥＤ２０の光出射方向は、発光面の向きに相当する。本実施形態では、ＬＥＤ２０は、例えば、半田により基台部１３に取り付けられている。
【００２７】
ＬＥＤ２０は、白色系の光を出射するＬＥＤであり、例えば、ＳＭＤ（Ｓｕｒｆａｃｅ  Ｍｏｕｎｔ  Ｄｅｖｉｃｅ）型ＬＥＤである。ＬＥＤ２０からの出射光の指向性は、白熱電球等の他の光源の出射光の指向性よりも高い。本実施形態では、ＬＥＤ２０への電力の供給は外部からなされており、具体的には、車両のバッテリー等の外部電源（図示なし）に接続されたリード線２１から、基台部１３に設けられた配線（図示なし）を介して、ＬＥＤ２０に電力が供給される。
【００２８】
導光部材３０は、筒状であって、内側にＬＥＤ２０を収容する本体部３１を含む。本実施形態では、導光部材３０は、本体部３１の中心軸３１αとＬＥＤ２０光出射方向とを一致させた状態でＬＥＤ２０を収容する本体部３１を含む。
【００２９】
本体部３１は、角筒状、円筒状等の筒状であり、本体部が角筒状である場合、例えば、本体部を中心軸に直交する方向で断面視した際に、本体部で囲まれる領域の重心と中心軸とが一致するよう、中心軸を定める。
【００３０】
本実施形態の本体部３１は、図４、図５に示すように、円筒状である。ＬＥＤ２０からの出射光の一部は本体部３１を透過（通過）することで、拡散された後、カバー４０を透過し、残部は本体部３１の先端側の端縁から出射されカバー４０を透過する。
【００３１】
また、本体部３１における基端側（基部１０に近い側）の端縁、及び、先端側（基部１０から遠い側）の端縁はともに開口しているが、塞がれていてもよい。本実施形態の本体部３１は、先端側の端縁が開口しているため、ＬＥＤ２０からの熱に対する放熱性に優れている。
【００３２】
本実施形態の本体部３１は、外周面３１ｂ及び内周面３１ａのいずれか一方に、凹部及び凸部の少なくとも一方が形成されている。本実施形態では、図６に示すように、本体部３１の外周面３１ｂ及び内周面３１ａの両方に、凸部が形成されている。本実施形態の凸部は、具体的には凸条である。
【００３３】
なお、外周面及び内周面に凹条及び凸条が形成されているか否かの判定は、外周面及び内周面のうちいずれの部分を基準とするかにより異なる。例えば、本実施形態では、図７（図６における一点鎖線で囲んだ領域の拡大図）に示すように、外周面３１ｂのうち最も内側に位置する点を結んだ仮想線３１ａ１を基準として、外周面３１ｂに複数の凸条が形成されていると言える。また、外周面３１ｂのうち最も外側に位置する点を結んだ仮想線３１ａ２を基準とすれば、外周面３１ｂに凹条が形成されていると言える。同様に、本実施形態では、内周面３１ａのうち最も内側に位置する点を結んだ仮想線３１ｂ１を基準として、内周面３１ａに複数の凸条が形成されていると言え、内周面３１ａのうち最も外側に位置する点を結んだ仮想線３１ｂ２を基準とすれば、内周面３１ａに複数の凹条が形成されていると言える。
【００３４】
本体部３１における凸条の各々は円環状に形成されているが、凸条はらせん状に形成されていてもよい。さらに、本体部３１における凸条は、本体部３１の周方向に連続して形成されているが、該周方向に間欠的に形成されてもよい。
【００３５】
また、本体部３１において、隣り合う凸条は連続して形成されているが、隣り合う凸条の間に間隔（平坦な領域）をあけて形成されてもよい。本体部に凹条が隣り合って形成される場合も、同様に、連続して形成されていてもよいし、間隔（平坦な領域）をあけて形成されてもよい。本体部３１では、隣り合う凸条が連続して形成されているため、ＬＥＤ２０からの出射光が本体部３１に入射した際に内部で乱反射しやすく、本体部３１を透過した光が拡散されやすいため、ランプ１の輝度むらが抑制されやすい。
【００３６】
本体部３１では、外周面３１ｂ及び内周面３１ａの両方に凸条が形成されており、外周面３１ｂのうち凸条が形成されている部分は、内周面３１ａのうち凸条が形成されている部分と厚み方向で対応する。即ち、外周面３１ｂの凸条が形成されている部分の裏側で、内周面３１ａに凸条が形成されている。この場合、本体部３１の厚み寸法が不均一であるため、ＬＥＤ２０からの出射光が本体部３１に入射した際に、光が内部で乱反射しやすく、本体部３１を透過した光が拡散されるため、ランプ１の輝度むらが抑制されやすい。なお、外周面のうち凸条が形成されている部分の裏側以外の部分で、内周面に凸条が形成されていてもよく、例えば、外周面のうち最も外側に位置する部分の裏側に、内周面のうち最も内側に位置する部分が存在するように、外周面及び内周面に凸条を形成すれば、本体部の厚み寸法を略均一とすることもできる。
【００３７】
本体部３１の外周面３１ｂ及び内周面３１ａに形成された凸条の各々は、平面で構成されるとともに、中心軸３１αを含む断面視において鋭い形状であるが、曲面で構成されるとともに、中心軸を含む断面視で円弧状であってもよい。本実施形態では、凸条の各々が、平面で構成されるとともに、中心軸３１αを含む断面視において鋭い形状であるため、ＬＥＤ２０からの出射光が本体部３１に入射した際に内部で乱反射しやすく、本体部３１を透過した光が拡散されやすいため、ランプ１の輝度むらが抑制されやすい。
【００３８】
本体部３１の外周面３１ｂ及び内周面３１ａに形成される凸条は、本体部３１の中心軸３１αに交差する方向に延びていることが好ましく、本実施形態では、中心軸３１αに直交する方向に延びている。外周面及び内周面に凹条が形成される場合にも、凹条は中心軸に交差する方向に延びていることが好ましい。上述のように、ＬＥＤ２０の光出射方向は本体部３１の中心軸３１αに一致しているため、本体部３１では、ＬＥＤ２０からの出射光が本体部３１に入射した際に内部で乱反射しやすく、ランプ１の輝度むらが抑制されやすい。
【００３９】
本体部３１の外周面３１ｂ及び内周面３１ａに形成される凸条の幅は均一であるが、外周面と内周面とで不均一でもあってもよいし、本体部の外周面に形成される凸条間で凸条の幅が不均一であってもよいし、本体部の内周面に形成される凸条間で凸条の幅が不均一であってもよい。本体部の外周面及び内周面に凹条が形成される場合も同様に、凹条の幅が均一であっても、不均一であってもよい。このように、本体部３１に形成される凸条の幅が不均一であっても、ＬＥＤ２０からの出射光が本体部３１に入射した後、内部で乱反射されるため、出射光が拡散され、ランプ１の輝度むらを抑制できる。
【００４０】
本体部３１における外周面３１ｂ及び内周面３１ａは、本体部３１の中心軸３１αに対して傾斜する。また、本体部３１は、中心軸３１αに対する傾斜角が異なる複数の部分を有する。具体的には、本体部３１は、第１部分３３と、第１部分３３よりも基部１０の近くに位置するとともに、外周面３１ｂ及び内周面３１ａの中心軸３１αに対する傾きが第１部分３３と異なる第２部分３４とで構成される。即ち、第１部分３３と第２部分３４との境界で、本体部３１が屈曲している。
【００４１】
本体部３１における中心軸３１αに対する傾斜角が異なる各部分において、外周面３０ａと内周面３０ｂとで中心軸３１αに対する傾きの程度は同じである。具体的には、第１部分３３における外周面３３ｂと内周面３３ａとの傾斜角は同じであり、第２部分３４における外周面３４ｂと内周面３４ａとの傾斜角は同じである。なお、ここでいう傾斜角とは、中心軸３１αを含むように本体部３１を断面視したとき、外周面３３ｂ，３４ｂのうち最も内側に位置する点を結んだ仮想線、内周面３３ａ，３４ａのうち最も内側に位置する点を結んだ仮想線と中心軸３１αとのなす角度をいう。
【００４２】
第１部分３３の中心軸３１α方向の寸法は、第２部分３４の中心軸３１α方向の寸法よりも短いが、これら傾斜角が異なる複数の部分の中心軸方向の寸法は同じであってもよい。
【００４３】
第１部分３３の外周面３３ｂ及び第２部分３４の外周面３４ｂは、基部１０から遠ざかるほど、本体部３１の中心軸３１αに近づくように傾斜している。第１部分３３の外周面３３ｂの傾斜角は、第２部分３４の外周面３４ｂの傾斜角よりも大きい。第１部分３３の内周面３３ａ及び第２部分３４の内周面３４ａは、基部１０から遠ざかるほど、本体部３１の中心軸３１αに近づくように傾斜している。第１部分３３の内周面３３ａの傾斜角は、第２部分３４の内周面３４ａの傾斜角よりも大きい。
【００４４】
本体部３１における基部側の端縁から、脚部３２が延出されているが、導光部材は脚部を含まなくてもよい。本実施形態では、本体部３１における基部側の端縁から、脚部３２が外側に向けて延出されており、この脚部３２が基部１０に対して取り付けられている。具体的には、脚部３２の端部にそれぞれ設けられた貫通孔３２ａ，３２ａ，…と、基台部１３に設けられた貫通孔１３ａ，１３ａ，…とを重ねた状態で、締結部材を用いて止めることにより、導光部材３０の脚部３２が基部１０に取り付けられる。
【００４５】
本体部３１と脚部３２とは、同一材料で一体的に形成されているが、別体として形成されてもよい。本実施形態では、本体部３１と脚部３２とは、同一材料で一体的に射出形成される。このような材料としては、顔料を含まない無色の透光性材料が挙げられ、具体的な透光性材料として、例えば、アクリル樹脂が挙げられる。
【００４６】
カバー４０は、ドーム状であるが、一端が開口するとともに他端が塞がれた筒状等であってもよい。カバー４０の開口端４１が、基部１０の外周部１１に設けられた溝部１１ａに差し込まれることにより、カバー４０は基部１０に取り付けられている。
【００４７】
カバー４０の外周面４０ｂ及び内周面４０ａのうち少なくとも一方に、凹部及び凸部の少なくとも一方が形成されており、本実施形態では、カバー４０の外周面４０ｂに、凹部及び凸部のいずれも形成されず、カバー４０の内周面４０ａに凸部が形成されている。具体的には、カバー４０の内周面４０ａに、本体部３１に設けられた凸条の延びる方向に交差する凸条が形成されている。カバー４０の内周面４０ａに形成された凸条は、例えば、本体部３１に設けられた凸条の延びる方向に直交するように延びている。カバー４０は、例えば、黄色顔料を含む透光性材料で構成され、このような透光性材料として、例えば、アクリル樹脂が挙げられる。
【００４８】
本実施形態では、上述のように、ＬＥＤ２０が白色系の光を出射するＬＥＤであり、本体部３１が無色であるとともに、カバー４０が黄色である。そのため、本体部３１で拡散された白色系の光及び本体部３１における先端側の端縁から出射される白色系の光の両方が、カバー４０を透過することで黄色光となる。従って、ランプ１の出射光の色むらが抑えられやすい。
【００４９】
本実施形態に係るランプは、以上の通りである。続いて、上記構成のランプの作用及び効果について説明する。
【００５０】
本実施形態に係るランプ１によれば、ＬＥＤ２０からの出射光が、第１部分３３の内周面３３ａや第２部分３４の内周面３４ａに入射した後、例えば、第１部分の外周面３３ｂや第２部分の外周面３４ｂで反射されて、本体部３１の内部で乱反射を繰り返しながら進み、ＬＥＤ２０の光出射方向と交差する方向に出射する。このように、本体部３１は、ＬＥＤ２０からの出射光が透過することで、該出射光をＬＥＤ２０の光出射方向と交差する方向に拡散させるため、出射光の指向性の高いＬＥＤ２０を用いても、ＬＥＤ２０の光出射方向と該方向に交差する方向との輝度の差が小さくなり、これにより、ランプ１の輝度むらを抑制できる。
【００５１】
本実施形態に係るランプ１によれば、第１部分３３の内周面３３ａは、基部１０から遠ざかるほど本体部３１の中心軸３１αに近づくように傾斜し、ＬＥＤ２０は本体部３１の内側に収容されているため、内周面３３ａが傾斜していない場合と比べて、第１部分３３の内周面３３ａにはＬＥＤ２０からの出射光がより多く到達する。従って、第１部分３３にＬＥＤ２０からの出射光がより多く到達し、この到達した光が第１部分３３に入射して本体部３１の内部で反射等することで拡散されるため、ランプ１の輝度むらがより抑えられる。
【００５２】
本実施形態に係るランプ１によれば、第１部分３３の内周面３３ａの傾斜角が第２部分の内周面３４ａの傾斜角よりも大きい、即ち、第１部分３３の内周面３３ａの傾斜角と第２部分３４の内周面３４ａの傾斜角とが異なる。このように、第１部分３３と第２部分３４とで内周面３３ａ，３４ａの傾斜角が異なると、第１部分３３と第２部分３４とで内部を進む光の乱反射の方向が異なることで、光の拡散方向が異なるため、ＬＥＤ２０からの出射光がより広い範囲に拡散されやすくなり、ランプ１の輝度むらが抑えられる。
【００５３】
本実施形態に係るランプ１によれば、上述のように、カバー４０の凹条及び凸条の延びる方向と、本体部３１の凹条及び凸条の延びる方向とが交差しているため、カバー４０は、本体部により拡散された光が透過することで、該拡散された光が本体部により拡散された方向と異なる方向に拡散させることができる。これにより、ＬＥＤ２０からの出射光は、本体部３１で拡散された上に、さらに、本体部３１により拡散された方向とは異なる方向に拡散されるため、ランプ１の輝度むらがより抑えられる。
【００５４】
本実施形態に係る導光部材３０によれば、ＬＥＤ２０の光出射方向が本体部３１の中心軸３１αに一致するように、本体部３１の内側にＬＥＤ２０を配置した場合に、本体部３１が、ＬＥＤ２０からの出射光をＬＥＤ２０の光出射方向と交差する方向に拡散させることができ、例えば、導光部材３０を出射光の指向性の高いＬＥＤ２０を備えたランプに用いても、ランプ１の輝度むらを抑制できる。
【００５５】
なお、本発明にかかるランプは、上記実施形態の構成に限定されるものではなく、本発明の要旨を逸脱しない範囲で種々の変更が可能である。
【００５６】
上記実施形態では、導光部材３０の本体部３１において、第１部分３３の外周面３３ｂ及び内周面３３ａの中心軸３１αに対する傾きが、第１部分３３よりも基部１０の近くに位置する第２部分３４の外周面３４ｂ及び内周面３４ａの中心軸３１αに対する傾きよりも大きかったが、第１部分の外周面及び内周面の中心軸に対する傾きが、第１部分よりも基部の近くに位置する第２部分の外周面及び内周面の中心軸に対する傾きよりも小さくてもよい。この場合でも、第１部分と第２部分とで内部を進む光の乱反射の方向が異なることで、光の拡散方向が異なるため、ＬＥＤからの出射光がより広い範囲に拡散されやすくなり、ランプ１の輝度むらが抑えられる。
【００５７】
上記実施形態では、本体部３１が、中心軸３１αに対する傾斜角が異なる複数の部分を有していたが、本体部における外周面及び内周面の中心軸に対する傾きの程度は、本体部全体で等しくてもよい。具体的には、図８、図９に示すように、導光部材１３０の本体部１３１における外周面１３１ｂ及び内周面１３１ａの中心軸１３１αに対する傾きが等しくてもよい。
【００５８】
上記実施形態では、導光部材３０の本体部３１において、外周面３１ｂ及び内周面３１ａの両方に、凸条を形成していたが、導光部材１３０のように、外周面１３１ｂを滑らかな曲面状とし、内周面１３１ａのみに凸条を形成してもよい。さらに、導光部材の本体部において、内周面のみに凹条及を形成してもよいし、外周面のみに凹条及び凸条の少なくとも一方を形成してもよい。
【００５９】
本体部における外周面及び内周面の中心軸に対する傾斜角は、本体部を中心軸の方向で三以上の複数に分割しそれぞれの領域で異なっていてもよい。また、外周面及び内周面は、全体的に本体部の中心軸に対して傾斜していなくてもよい。具体的には、図１０、図１１に示すように、導光部材２３０の本体部２３１において、外周面２３１ｂが中心軸２３０αに対して傾斜せず、且つ、内周面２３１ａも中心軸２３０αに対して傾斜していなくてもよい。この場合でも、本体部の外周面及び内周面のうち少なくとも一方に凹条及び凸条の少なくとも一方が設けられていれば、ＬＥＤからの出射光が本体部に入射した後、内部で反射等して拡散されるため、ランプの輝度むらを抑制できる。
【００６０】
上記実施形態では、本体部３１における外周面３１ｂ及び内周面３１ａの中心軸３１αに対する傾き方は、基部１０から遠ざかるほど中心軸３１αに近づくように傾いていたが、外周面３１ｂ及び内周面３１ａの傾き方はこれに限られない。また、本体部は、一部において中心軸に対して傾斜しているとともに残部において中心軸に対して傾斜していなくてもよい。これらを踏まえて、図１２、図１３に示すように、導光部材３３０の本体部３３１において、第１部分３３３の外周面３３３ｂ及び内周面３３３ａが、基部１０から遠ざかるほど本体部３３１の中心軸３３１αから遠ざかるよう中心軸３３１αに対して傾斜するとともに、第２部分３３４の外周面３３４ｂ及び内周面３３４ａが中心軸３３１αに対して傾斜していなくてもよい。この場合でも、本体部の外周面及び内周面のうち少なくとも一方に凹条及び凸条の少なくとも一方が設けられていれば、ＬＥＤからの出射光が本体部に入射した後、内部で反射等して拡散されるため、ランプの輝度むらを抑制できる。
【００６１】
上記実施形態では、本体部３１における中心軸３１αに対する傾斜角が異なる各部分において、外周面３０ａと内周面３０ｂとで中心軸３１αに対する傾きの程度は同じであったが、外周面及び内周面の中心軸に対する傾きの程度は、外周面及び内周面で異なっていてもよい。例えば、外周面が中心軸に対して傾斜せず、内周面のみが基部から遠ざかるほど中心軸に近づくよう傾斜していてもよい。少なくとも内周面が基部から遠ざかるほど中心軸に近づくよう傾斜していれば、ＬＥＤからの出射光のうち本体部のうち内周面の傾斜した部分により多くの光が到達するため、ランプの輝度むらを抑制しやすい。
【００６２】
上述のように、外周面及び内周面の少なくとも一方に形成される凹条及び凸条の少なくとも一方の幅は不均一であってもよく、例えば、導光部材３３０のように、第１部分３３３の外周面３３３ｂに形成される凸条の幅は、第２部分３３４の外周面３３４ｂに形成される凸条の幅よりも広くてもよい。また、導光部材の本体部において、第１部分の外周面に形成される凸条の幅は、第２部分の外周面に形成される凸条の幅よりも狭くてもよい。
【００６３】
外周面及び内周面の少なくとも一方に、凹条及び凸条の両方が形成される場合、隣り合う凹条及び凸条の間に間隔（平坦な領域）をあけて形成してもよい。また、凹条及び凸条は、中心軸の延びる方向に交互に並んでもよいし、ある部分では凹条が隣り合うとともに、別の部分では凸条が隣り合うように形成されてもよい。
【００６４】
上記実施形態では、本体部３１における外周面３１ｂ及び内周面３１ａに凸部を形成したが、本体部の外周面及び内周面のうち一方に凹部のみを形成し、他方に凸部のみを形成してもよい。また、凹部及び凸部として、プリズムやドット等の他の光拡散構造を形成してもよい。具体的には、図１４、図１５に示すように、導光部材４３０の本体部４３１において、第１部分４３３の外周面４３３ｂ及び第２部分４３４の外周面４３４ｂの表面を滑らかな曲面状とし、第１部分４３３の内周面４３３ａ及び第２部分４３４の内周面４３４ａにプリズム４３５を形成していてもよい。この場合でも、本体部の外周面及び内周面のうち少なくとも一方に、光拡散構造が設けられていれば、ＬＥＤからの出射光が本体部に入射した後、内部で反射等して拡散されるため、ランプの輝度むらを抑制できる。
【００６５】
上記実施形態では、導光部材３０は本体部３１と脚部３２とで構成されていたが、導光部材は、本体部のみで構成されてもよいし、本体部と脚部とに加えて本体部の先端側の端縁を塞ぐとともに透光性材料からなる蓋部とで構成されてもよい。蓋部の形状は、滑らかな平板状、凹凸が設けられた板状等であればよい。蓋部を含む導光部材では、本体部の内側に異物が侵入することを抑制できるため、ＬＥＤに異物が付着して出射光が遮られることを抑制できる。
【００６６】
上記実施形態では、導光部材３０が、締結部材３９を用いて基部１０に取り付けられていたが、基台部の中央部に溝を形成し、この溝に収まるような脚部を導光部材に形成し、導光部材の脚部を基部の溝に差し込むことで、導光部材を基部に取り付けてもよい。また、導光部材が脚部を含まず構成される場合、接着剤により導光部材を基部に取り付けてもよい。
【００６７】
上述のように、導光部材における本体部と脚部とは別体であってもよい。例えば、導光部材における本体部を光拡散性のフィラーを混入した樹脂材料で形成するとともに、導光部材における脚部を樹脂材料で形成した後、本体部に脚部を接着剤により取り付けてもよい。
【００６８】
上記実施形態では、カバー４０の外周面４０ｂ及び内周面４０ａの少なくとも一方に、凸部が形成されていたが、カバーの外周面及び内周面の両方が、滑らかな曲面状であってもよい。この場合でも、本体部の外周面及び内周面のうち少なくとも一方に、光拡散構造が設けられていれば、ＬＥＤからの出射光が本体部に入射した後、内部で反射等して拡散されるため、ランプの輝度むらを抑制できる。
【００６９】
さらに、カバー４０の内周面４０ａに形成した凹部及び凸部として、図１６、図１７に示すように、カバー５４０の内周面５４０ａに、プリズムやドット等の光拡散構造が形成されている場合にも、カバーが、本体部により拡散された光を、本体部により拡散された方向と異なる方向に拡散させることができる。
【００７０】
上記実施形態では、ＬＥＤ２０の発光色は白色系であったが、これに限定されない。例えば、ＬＥＤの発光色は黄色やその他の色であってもよい。このようなＬＥＤにより、所望の色で発光するランプを提供することができる。
【００７１】
上記実施形態では、導光部材３０を、顔料を含まない透光性材料で構成したが、これに限定されない。例えば、導光部材を、黄色やその他の色の顔料を含む透光性材料で構成してもよい。このような導光部材によっても、所望の色で発光するランプを提供することができる。
【００７２】
上記実施形態では、カバー４０を、黄色顔料を含む透光性材料で構成したが、これに限定されない。例えば、カバーを、黄色以外の顔料を含む透光性材料や、顔料を含まない透光性材料で構成してもよい。このようなカバーによっても、所望の色で発光するランプを提供することができる。
【００７３】
上記実施形態では、本体部３１の内側に二つのＬＥＤ２０が収容されていたが、これに限定されない。例えば、一つのＬＥＤが収容されてもよいし、三つ以上の複数のＬＥＤが収容されてもよい。
【００７４】
上記実施形態では、ＳＭＤ型ＬＥＤを用いていたが、これに限定されない。例えば、ＣＯＢ（Ｃｈｉｐ  Ｏｎ  Ｂｏａｒｄ）型のＬＥＤや、砲弾型のＬＥＤを用いてもよい。
【００７５】
上記実施形態では、半導体発光素子として、ＬＥＤを用いたが、これに限定されない。例えば、半導体発光素子として、レーザーダイオードを用いてもよい。
【００７６】
上記実施形態のランプ１は、車両用のマーカーランプとして用いられたが、これ以外にも、屋内外で使用する照明装置として用いることができる。
【符号の説明】
【００７７】
１…ランプ、１０…基部、２０…ＬＥＤ、３０…導光部材、３１…本体部、３２…脚部、４０…カバー
【図１】
2018006189.tif 000003
【図２】
2018006189.tif 000004
【図３】
2018006189.tif 000005
【図４】
2018006189.tif 000006
【図５】
2018006189.tif 000007
【図６】
2018006189.tif 000008
【図７】
2018006189.tif 000009
【図８】
2018006189.tif 000010
【図９】
2018006189.tif 000011
【図１０】
2018006189.tif 000012
【図１１】
2018006189.tif 000013
【図１２】
2018006189.tif 000014
【図１３】
2018006189.tif 000015
【図１４】
2018006189.tif 000016
【図１５】
2018006189.tif 000017
【図１６】
2018006189.tif 000018
【図１７】
2018006189.tif 000019